(57)【要約】【課題】紙媒体の書籍を電子化した電子書籍データを適切に管理できる電子書籍管理装置、電子書籍システムおよび電子書籍管理方法を提供する。【解決手段】電子書籍管理装置１４は、紙媒体の書籍を電子化する事業者１０の端末１３から、紙媒体の書籍をスキャンニングして電子化され、電子透かしが埋め込まれた電子書籍データ１２を受け付ける。電子書籍管理装置１４は、受け付けた電子書籍データ１２を、ユーザに対してアクセスが許可されたユーザ用記憶領域１５に格納する。【選択図】図１
2014186456.tif 000002
【特許請求の範囲】
【請求項１】
紙媒体の書籍を電子化する事業者の端末から、紙媒体の書籍をスキャンニングして電子化され、電子透かしが埋め込まれた電子書籍データを受け付ける受付手段と、
前記受付手段により受け付けた電子書籍データを、ユーザに対してアクセスが許可された記憶領域が有する記憶手段の前記記憶領域に格納する格納手段と、
を有することを特徴とする電子書籍管理装置。
【請求項２】
前記記憶手段は、他のユーザへのデータの公開が禁止された第１記憶領域と、他のユーザへのデータの公開が可能とされた第２記憶領域とが設けられ、
前記格納手段は、前記受付手段により受け付けた電子書籍データを前記第１記憶領域に格納する
ことを特徴とする請求項１に記載の電子書籍管理装置。
【請求項３】
前記記憶手段は、複数の記憶装置を有し、前記第１記憶領域と前記第２記憶領域が別な記憶装置に設けられ、
ユーザからアクセスに応じて、前記第１記憶領域に記憶された電子書籍データと前記第２記憶領域に記憶された電子書籍データとを統合し、各記憶領域の区別なくユーザ端末に表示可能に提供する提供手段をさらに有することを特徴とする請求項２に記載の電子書籍管理装置。
【請求項４】
前記電子書籍データは、ユーザに紐付けられた情報が電子透かしとして埋め込まれていることを特徴とする請求項１〜３の何れか１つに記載の電子書籍管理装置。
【請求項５】
紙媒体の書籍をスキャンニングして電子書籍データを生成する変換手段と、前記変換手段により変換された電子書籍データに電子透かしを埋め込む埋込手段とを有する書籍電子化装置と、
前記電子書籍データを受け付ける受付手段と、前記受付手段により受け付けた電子書籍データを、ユーザに対してアクセスが許可された記憶領域が有する記憶手段の前記記憶領域に格納する格納手段とを有することを特徴とする電子書籍管理装置と、
前記記憶領域にアクセス可能とされ、前記記憶領域に格納された電子書籍データを参照する参照手段を有するユーザ端末と、
を備えたことを特徴とする電子書籍システム。
【請求項６】
書籍電子化装置と、電子書籍管理装置と、ユーザ端末とにより電子書籍を管理する電子書籍管理方法であって、
前記書籍電子化装置が、
紙媒体の書籍をスキャンニングして電子書籍データに変換し、変換された電子書籍データに電子透かしを埋め込み、
前記電子書籍管理装置が、
前記書籍電子化装置から電子書籍データを受け付け、受け付けた電子書籍データを、ユーザに対してアクセスが許可された記憶領域が有する記憶手段の前記記憶領域に格納し、
前記ユーザ端末が、
前記記憶領域にアクセス可能とされ、前記記憶領域に格納された電子書籍データを参照する
ことを特徴とする電子書籍管理方法。
【発明の詳細な説明】
【技術分野】
【０００１】
本発明は、電子書籍管理装置、電子書籍システムおよび電子書籍管理方法に関する。
【背景技術】
【０００２】
電子書籍の普及に伴い、人々の読書の態様は多様化を見せている。最近では、個人が所有する紙媒体の書籍を市販のイメージスキャナ等のスキャンニング装置を用いて電子書籍データに変換し、変換した電子書籍データをスマートフォンやタブレット端末といったデバイスで個人的に鑑賞することが行われはじめている。この背景には、書籍を保管する物理的なスペース（例えば本棚）に限りがあることや、持ち運ぶ際の負荷を軽減したいという人々のニーズが高まっていることが挙げられる。
【０００３】
こうした書籍を電子化するためのスキャンニング等の作業は負荷が大きく、個人が自身の所有する蔵書を自身で電子化するのは容易ではない。最近では、こうしたニーズに応え、個人が所有する書籍の電子化を代行するサービスを提供する事業者もある。
【先行技術文献】
【特許文献】
【０００４】
【特許文献１】特開２００３−１６２４６９号公報
【発明の概要】
【発明が解決しようとする課題】
【０００５】
しかし、著作物である書籍について変換後の電子書籍データの管理を適切に行わないと、個人で利用する範囲を超えて電子書籍データが流通する問題が起こるおそれがある。
【０００６】
一方で、個人で保有するデバイス等の記憶容量には制限があるため、変換後の電子ファイルが蓄積されたときのため、データの容量を気にすることなく利用できる環境が容易されていることが好ましい。
【０００７】
そこで、本願は、紙媒体の書籍を電子化した電子書籍データを適切に管理できる電子書籍管理装置、電子書籍システムおよび電子書籍管理方法を提供することを目的とする。
【課題を解決するための手段】
【０００８】
本願に係る電子書籍管理装置は、紙媒体の書籍を電子化する事業者の端末から、紙媒体の書籍をスキャンニングして電子化され、電子透かしが埋め込まれた電子書籍データを受け付ける受付手段と、前記受付手段により受け付けた電子書籍データを、ユーザに対してアクセスが許可された記憶領域が有する記憶手段の前記記憶領域に格納する格納手段と、を有することを特徴とする。
【発明の効果】
【０００９】
本願に係る電子書籍管理装置によれば、紙媒体の書籍を電子化した電子書籍データを適切に管理できるという効果を奏する。
【図面の簡単な説明】
【００１０】
【図１】図１は、紙媒体の書籍を電子化した電子書籍データを格納する流れを模式的に示した図である。
【図２】図２は、実施形態に係るシステムの全体の概略構成の一例を示す図である。
【図３】図３は、実施形態に係る電子化サーバの機能的な構成の一例を示す図である。
【図４】図４は、賛同リストデータのデータ構成の一例を示す図である。
【図５】図５は、実施形態に係る管理サーバの機能的な構成の一例を示す図である。
【図６】図６は、電子書籍データを格納する流れの一例を模式的に示した図である。
【図７】図７は、実施形態に係る監視サーバの機能的な構成の一例を示す図である。
【図８】図８は、監視書籍情報のデータ構成の一例を示す図である。
【図９】図９は、電子書籍データの監視の流れの一例を模式的に示した図である。
【図１０】図１０は、実施形態に係る変換処理の手順の一例を示すフローチャートである。
【図１１】図１１は、実施形態に係る格納処理の手順の一例を示すフローチャートである。
【図１２】図１２は、実施形態に係る提供処理の手順の一例を示すフローチャートである。
【図１３】図１３は、実施形態に係る監視処理の手順の一例を示すフローチャートである。
【発明を実施するための形態】
【００１１】
以下に、本願に係る電子書籍管理装置、電子書籍システムおよび電子書籍管理方法を実施するための形態（以下、「実施形態」と呼ぶ）について図面を参照しつつ詳細に説明する。なお、この実施形態により本願に係る電子書籍管理装置、電子書籍システムおよび電子書籍管理方法が限定されるものではない。また、各実施形態は、処理内容を矛盾させない範囲で適宜組み合わせることが可能である。
【００１２】
［１．電子書籍データの管理］
まず、図１を用いて、紙媒体の書籍を電子化した電子書籍データを管理する流れの一例について説明する。図１は、紙媒体の書籍を電子化した電子書籍データを格納する流れを模式的に示した図である。
【００１３】
ユーザは、紙媒体の書籍１１の電子化を要望する場合、書籍１１の電子化を行う事業者１０へ書籍１１を送付する。事業者１０は、送付された書籍１１の電子化を行う。例えば、事業者１０は、送付された紙媒体の書籍１１をイメージスキャナ等のスキャンニング装置により読み取ってデジタルの電子書籍データ１２に変換する。この電子書籍データ１１２は、例えば、ＰＤＦ（Portable  Document  Format）形式のファイルでもよく、また、ＥＰＵＢ（electronic  publication）形式のファイルでもよい。また、電子書籍データ１２は、イメージスキャナ等でページを読み取った画像データであってもよく、画像データに対して文字認識等を行って画像内の文字等をコード化したコードデータであってもよく、画像データとコードデータを含んだものであってもよい。事業者１０は、変換した電子書籍データ１２に電子透かしを埋め込む。この電子透かしとは、デジタル化されたデータに、画質などにほとんど影響を与えずに識別情報など特定の情報を埋め込んだものである。電子書籍データ１２に電子透かし埋め込むことにより、埋め込んだ情報から電子書籍データ１２を識別できる。
【００１４】
電子書籍管理装置１４は、紙媒体の書籍１１を電子化した電子書籍データ１２の管理を行う装置である。電子書籍管理装置１４は、事業者１０の端末１３から電子書籍データ１２を受け付ける。また、電子書籍管理装置１４には、ユーザ用記憶領域１５が設けられている。ユーザ用記憶領域１５は、ユーザに対してアクセスが許可された記憶領域であり、格納されたデータをユーザが参照することが可能とされている。なお、ユーザ用記憶領域１５は、電子書籍管理装置１４とは別の装置に設けてもよい。
【００１５】
事業者１０は、端末１３から電子書籍データ１２を電子書籍管理装置１４へ送信する。
【００１６】
電子書籍管理装置１４は、電子書籍データ１２を受け付けると、受け付けた電子書籍データをユーザ用記憶領域１５に格納する。
【００１７】
ユーザは、ユーザ端末１６を用いてユーザ用記憶領域１５にアクセスして電子書籍データ１２を参照することにより、電子化された書籍１７の内容を読むことができる。
【００１８】
このように、電子書籍管理装置１４は、紙媒体の書籍を電子化する事業者１０の端末１３から、紙媒体の書籍をスキャンニングして電子化され、電子透かしが埋め込まれた電子書籍データ１２を受け付ける。電子書籍管理装置１４は、受け付けた電子書籍データ１２を、ユーザに対してアクセスが許可されたユーザ用記憶領域１５に格納する。このように、電子書籍管理装置１４が、電子書籍データ１２を受け付けて管理することにより、電子書籍データ１２を事業者１０からユーザ端末１６へ納品して、各ユーザ端末１６において保存される場合に比べて、紙媒体の書籍を電子化した電子書籍データ１２を集中して管理できるため、電子書籍データ１２を適切に管理できる。以下、紙媒体の書籍を電子化した電子書籍データを管理する電子書籍システム１００について詳細に説明する。
【００１９】
［２．システムの構成］
実施形態に係るシステムについて説明する。図２は、実施形態に係るシステムの全体の概略構成の一例を示す図である。図２に示すように、電子書籍システム１００は、ユーザ端末１０１と、電子化サーバ１１０と、管理システム１２０とを有する。なお、実施形態に係る電子書籍システム１００では、電子化サーバ１１０が本発明の書籍電子化装置に対応する。
【００２０】
ユーザ端末１０１と電子化サーバ１１０と管理システム１２０は、図示しないネットワークを介して通信可能に接続され、各種の情報を交換することが可能とされている。かかるネットワークの一態様としては、有線または無線を問わず、ＬＡＮ（Local  Area  Network）やＶＰＮ（Virtual  Private  Network）、インターネット、移動体通信網などの任意の通信網が挙げられる。
【００２１】
ユーザ端末１０１は、ユーザが操作する端末装置であり、一例として、デスクトップ型ＰＣ（パーソナル・コンピュータ）、タブレット型ＰＣ、ノート型ＰＣなどの情報処理装置等である。なお、ユーザ端末１０１は、スマートフォン、ＰＤＡ（Personal  Digital  Assistant）、携帯電話機であってもよい。なお、図２の例では、ユーザ端末１０１として、デスクトップ型ＰＣとスマートフォンをそれぞれ１つ例示したが、開示のシステムはこれに限定されず、ユーザ端末１０１は任意の数とすることができる。
【００２２】
電子化サーバ１１０は、紙媒体の書籍１０２を電子化する事業者１１１の所有するサーバである。電子化サーバ１１０は、イメージスキャナが接続され、書籍１０２の電子化を行う。
【００２３】
管理システム１２０は、各種の管理を行うシステムである。例えば、管理システム１２０は、電子書籍データ１１２を管理する。管理システム１２０は、管理サーバ１２１と、認証サーバ１２２と、決済サーバ１２３と、インデックスサーバ１２４と、監視サーバ１２５とを有する。なお、実施形態に係る電子書籍システム１００では、管理サーバ１２１が本発明の電子書籍管理装置に対応する。
【００２４】
管理サーバ１２１と認証サーバ１２２と決済サーバと１２３とインデックスサーバ１２４と監視サーバ１２５とは、図示しないネットワークを介して通信可能に接続され、各種の情報を交換することが可能とされている。かかるネットワークの一態様としては、ＬＡＮなどが挙げられる。
【００２５】
管理サーバ１２１は、ユーザ毎に、ユーザのデータを管理するサーバである。また、管理サーバ１２１は、事業者１１１から電子化された電子書籍データ１１２を受信し、ストレージに格納する。認証サーバ１２２は、ユーザの認証を行うサーバである。決済サーバ１２３は、ユーザに対して発生した費用の決済を行うサーバである。インデックスサーバ１２４は、管理サーバ１２１に格納された電子書籍データ１１２のインデックス情報を記憶し、インデックス情報を用いて電子書籍データの検索機能を提供するサーバである。監視サーバ１２５は、管理サーバ１２１に格納されたデータに不正なデータがないか監視するサーバである。管理サーバ１２１、認証サーバ１２２、決済サーバ１２３、インデックスサーバ１２４および監視サーバ１２５は、それぞれ１台のコンピュータとして実装してもよく、また、複数台のコンピュータとして実装することもできる。なお、本実施形態では、管理サーバ１２１、認証サーバ１２２、決済サーバ１２３、インデックスサーバ１２４および監視サーバ１２５をそれぞれ１台のコンピュータとした場合を例として説明する。
【００２６】
管理システム１２０は、システムの利用を希望するユーザからのユーザ登録を受け付ける。管理システム１２０は、ユーザ登録の際、ユーザに関する各種の情報を登録させる。各種の情報としては、例えば、ユーザＩＤ（アカウント名）やパスワード、ユーザの氏名や連絡先、クレジットカード番号などの決済情報が挙げられる。登録された各種の情報は、例えば、認証サーバ１２２においてユーザ情報として記憶され、管理される。
【００２７】
事業者１１１は、Ｗｅｂページ１０３を提供しており、Ｗｅｂページ１０３から書籍１０２の電子化の依頼が可能とされている。ユーザは、紙媒体の書籍１０２を電子化する場合、Ｗｅｂページ１０３から会員登録を行い、付与された会員番号を用いてＷｅｂページ１０３にログインする（図２（１））。Ｗｅｂページ１０３には、書籍１０２の電子化に関する料金など各種の情報が表示される（図２（２））。なお、管理システム１２０においてユーザにより登録されたユーザＩＤ及びパスワードを用いてＷｅｂページ１０３にログインするようにしてもよい。
【００２８】
事業者１１１は、電子書籍データ１１２を、管理システム１２０を介してユーザに提供することが可能とされている。Ｗｅｂページ１０３は、管理システム１２０においてユーザにより登録されたユーザＩＤおよびパスワードを入力する入力領域が設けられており、書籍１０２の電子化がユーザにより依頼された場合、ユーザＩＤおよびパスワードを用いて認証サーバ１２２によりユーザの認証を行う。ユーザは、Ｗｅｂページ１０３に管理システム１２０のユーザＩＤおよびパスワードを入力して書籍１０２の電子化を依頼する（図２（２））。Ｗｅｂページ１０３を提供する不図示のＷｅｂサーバは、入力されたユーザＩＤおよびパスワードを用いて認証サーバ１２２によりユーザの認証を行い、認証が得られた場合、書籍１０２の電子化の依頼を受け付ける。Ｗｅｂサーバは、依頼を受け付けた場合、例えば、注文番号などの書籍１０２の電子化の依頼を識別する識別コードを発行する。注文番号は、Ｗｅｂページ１０３に表示されてユーザに通知される。また、注文番号は、電子化サーバ１１０および認証サーバ１２２に通知される。
【００２９】
ユーザは、Ｗｅｂページ１０３での書籍１０２の電子化の依頼が完了すると、電子化する紙媒体の書籍１０２をユーザの氏名や会員番号、注文番号などの情報と共に事業者１１１へ発送する（図２（３））。
【００３０】
認証サーバ１２２は、通知された注文番号とユーザＩＤと関連付けて記憶する。これにより、ユーザＩＤと注文番号とが紐付けられる。認証サーバ１２２は、注文番号とユーザＩＤと関連付けた情報を監視サーバ１２５へ送信する。監視サーバ１２５は、注文番号とユーザＩＤと関連付けた情報を後述する監視書籍情報として記憶する。
【００３１】
事業者１１１は、ユーザから送付された紙媒体の書籍１０２の電子化を行う。電子化を行うにあたり、事業者１１１は、賛同リストデータ１１３を用いて、ユーザから送付された書籍１０２が、電子化に賛同を得られている著作権者の書籍であるか判定する。事業者１１１は、賛同リストデータ１１３を例えば電子化サーバ１１０に記憶させて管理する。賛同リストデータ１１３は、例えば紙媒体の書籍の電子化に賛同する著作権者および書籍をまとめたデータであり、管理団体により作成され、事業者１１１に提供される。ユーザから送付された書籍１０２が、電子化に賛同を得られていない著作権者の書籍である場合は、例えば、ユーザに送り返す。なお、賛同リストデータ１１３は、Ｗｅｂページ１０３において公開してもよい。これにより、電子化できない書籍の電子化を依頼されることを抑制できる。
【００３２】
事業者１１１は、ユーザから送付された書籍１０２が賛同を得られている書籍である場合、電子化を行う（図２（４））。例えば、事業者１１１は、紙媒体の書籍１０２を裁断して個別の用紙に分割し、電子化サーバ１１０に接続されたイメージスキャナ等の機器により、分割した用紙を読み取ってデジタルの電子書籍データ１１２に変換する。変換された電子書籍データ１１２は、電子化サーバ１１０に記憶される。また、事業者１１１は、ユーザから送付された書籍１０２の送付元の氏名や会員番号、注文番号などから電子化を依頼した依頼元のユーザを特定する。電子化サーバ１１０は、ユーザに紐付けた情報から電子透かしを生成して電子書籍データ１１２に埋め込む。本実施形態では、電子化サーバ１１０は、ユーザに紐付けた情報として注文番号を電子透かしとして電子書籍データ１１２に埋め込む。このように、ユーザに紐付けた情報を電子透かしとして電子書籍データ１１２に埋め込むことにより、電子透かしの情報に紐付いたユーザを特定できるようになる。また、電子透かしとして埋め込まれる情報は、ユーザＩＤや氏名といったユーザを直接的に特定する情報ではなく、ユーザＩＤに紐付けた注文番号を用いることで、間接的にユーザを特定することを実現しつつも、電子透かしの情報から直接ユーザ情報が漏れることを抑制できる。なお、電子透かしは、視認できないよう埋め込んでもよく、書籍を参照する場合の周辺部などに視認できるように埋め込んでもよい。電子透かしを視認可能に埋め込む場合は、ユーザＩＤや氏名といったユーザを直接的に特定する情報を採用してもよい。この場合、ユーザは、電子透かしからユーザを特定できることを認識できるため、ユーザに電子書籍データを不正に流用させる意欲を抑えさせることができる。
【００３３】
管理サーバ１２１には、登録されたユーザ毎に、ユーザ用記憶領域が設けられている。ユーザは、ユーザ端末１０１からユーザＩＤおよびパスワードを用いてログインし、自身のユーザ用記憶領域にアクセスし、データの参照が可能とされている。ここで、ユーザ用記憶領域には、他のユーザへのデータの公開が禁止された第１記憶領域と、他のユーザへのデータの公開が可能とされた第２記憶領域とが設けられている。データの公開が可能であるとは、記憶領域或いは記憶領域に記憶されているデータに他のユーザがアクセス可能であること（その結果、記憶領域に記憶されているデータを他のユーザが閲覧したり、ダウンロードすることが可能であること）を意味する。一方で、データの公開が禁止されているとは、記憶領域或いは記憶領域に記憶されているデータに他のユーザがアクセスすることができないこと（その結果、記憶領域に記憶されているデータを他のユーザが閲覧したり、ダウンロードすることが不可能であること）を意味する。また、第１記憶領域は、ユーザに対してデータの参照が可能とされ且つデータのアップロードが禁止されている。第２記憶領域は、ユーザに対してデータの参照、データのアップロード、データのダウンロードが可能とされている。
【００３４】
電子化サーバ１１０は、電子書籍データ１１２を管理サーバ１２１へ送信する。例えば、電子化サーバ１１０は、電子化を依頼したユーザのユーザＩＤを指定して、電子書籍データ１１２を管理サーバ１２１のユーザ用記憶領域（第１記憶領域）へアップロードする。
【００３５】
管理サーバ１２１は、電子書籍データ１１２を受け付けると、指定されたユーザＩＤのユーザのユーザ用記憶領域に、受け付けた電子書籍データ１１２を格納する。ここで、管理サーバ１２１は、ユーザ用記憶領域に設けられた第１記憶領域に電子書籍データ１１２を格納する。（図２（５））。
【００３６】
電子化サーバ１１０は、電子書籍データ１１２の格納が完了すると、決済サーバ１２３に対して電子化を依頼したユーザへの電子化の費用の課金を要求する（図２（６））。決済サーバ１２３は、要求に応じて、電子化を依頼したユーザに対して電子化の費用の決済を行う。なお、費用の決済は、金銭によるものに限らず、管理システム１２０が提供する各種のサービスで付与されるポイント等にて行ってもよい。
【００３７】
依頼元のユーザは、ユーザ端末１０１を用いて管理サーバ１２１に設けられた自身のユーザの記憶領域（第１記憶領域）にアクセスすることにより、電子書籍データ１１２を参照することができる。例えば、ユーザ端末１０１では、専用のビューワを介して電子書籍データ１１２を閲覧する（図２（７））。
【００３８】
インデックスサーバ１２４は、管理サーバ１２１に格納された電子書籍データ１１２から検索に用いるインデックス情報を抽出する。例えば、インデックスサーバ１２４は、インデックス情報として、著者名や、書籍名、キーワードなどを抽出する。インデックスサーバ１２４は、抽出したインデックス情報を電子書籍データ１１２と対応付けて管理する。インデックスサーバ１２４は、電子書籍データ１１２を検索する検索機能を提供しており、例えば、検索キーワードが指定されて検索が要求された場合、インデックス情報から検索キーワードを検索し、インデックス情報に検索キーワードが含まれる電子書籍データを検索結果として回答する。
【００３９】
監視サーバ１２５は、認証サーバ１２２から通知された注文番号とユーザＩＤと関連付けた情報を監視書籍情報として記憶する。監視サーバ１２５は、管理サーバ１２１に設けられたユーザ毎のユーザ用記憶領域をクローリングし、不正な電子書籍データ１１２がないか監視する。例えば、監視サーバ１２５は、管理サーバ１２１のユーザ用記憶領域の第２記憶領域から電子書籍データ１１２を検索する。第２記憶領域は、他のユーザに対してデータの公開が可能とされている記憶領域であるから、電子書籍データ１１２が他のユーザに対して公開され、他のユーザにより利用されてしまうのを防ぐためである。例えば、電子書籍データ１１２が、ＰＤＦなど特定のファイル形式とされ、電子書籍データ１１２のファイルに「.pdf」など特定の拡張子とされる場合、監視サーバ１２５は、特定の拡張子のファイルを検索する。監視サーバ１２５によるクローリングは、周期的に自動で行ってもよく、また、管理者からの指示に応じて行ってもよい。
【００４０】
［３．電子化サーバの構成］
次に、実施形態に係る電子化サーバ１１０について詳細に説明する。図３は、実施形態に係る電子化サーバの機能的な構成の一例を示す図である。図３に示すように、電子化サーバ１１０は、通信Ｉ／Ｆ（インタフェース）部２０と、表示部２１と、入力部２２と、記憶部２３と、制御部２４とを有する。また、電子化サーバ１１０は、例えば、ＵＳＢ（Universal  Serial  Bus）などを介してイメージスキャナ２５が接続されている。
【００４１】
イメージスキャナ２５は、紙媒体の書籍１０２をスキャンニングして電子書籍データ１１２に変換する。例えば、イメージスキャナ２５は、セットされた用紙を１枚ずつ、画像読取部へ給紙する給紙装置が設けられ、後述するスキャナ制御部４０からの制御により、給紙装置により書籍１０２を裁断した用紙を１枚ずつ画像読取部へ給紙してスキャンニングを行い、電子書籍データ１１２に変換する。変換された電子書籍データ１１２は、記憶部２３に記憶される。
【００４２】
通信Ｉ／Ｆ部２０は、ＮＩＣ（Network  Interface  Card）等のインタフェースである。通信Ｉ／Ｆ部２０は、図示しないネットワークを介して他の装置との間で各種のデータを送受信する。例えば、通信Ｉ／Ｆ部２０は、管理サーバ１２１へ電子書籍データ１１２などの各種のデータを送信する。
【００４３】
表示部２１は、各種情報を表示する表示デバイスである。表示部２１としては、ＬＣＤ（Liquid  Crystal  Display）やＣＲＴ（Cathode  Ray  Tube）などの表示デバイスが挙げられる。表示部２１は、各種情報を表示する。
【００４４】
入力部２２は、各種の情報を入力する入力デバイスである。例えば、入力部２２としては、マウスやキーボードなどの入力デバイスが挙げられる。入力部２２は、事業者１１１の電子化を行う作業者などからの操作入力を受付け、受付けた操作内容を示す操作情報を制御部２４に入力する。
【００４５】
記憶部２３は、各種情報を記憶するデバイスである。例えば、記憶部２３としては、ＨＤＤ（Hard  Disk  Drive）やディスクアレイなどの記憶装置が挙げられる。記憶部２３は、制御部２４で実行されるＯＳ（Operating  System）や後述する変換処理を実行するプログラムを含む各種プログラムを記憶する。さらに、記憶部２３は、各種データを記憶する。例えば、記憶部２３は、電子書籍データ１１２と、賛同リストデータ１１３とを記憶する。
【００４６】
電子書籍データ１１２は、イメージスキャナ２５により紙媒体の書籍をスキャンニングして生成された書籍のデータである。この電子書籍データ１１２は、画像データであってもよく、画像データに対して文字認識等を行って画像内の文字等をコード化したコードデータであってもよく、画像データとコードデータを含んだものであってもよい。
【００４７】
賛同リストデータ１１３は、紙媒体の書籍の電子化に賛同する著作権者および書籍をまとめたデータである。例えば、賛同リストデータ１１３は、管理団体から提供される。
【００４８】
図４は、賛同リストデータのデータ構成の一例を示す図である。図４に示すように、賛同リストデータ１１３は、「著者名」、「書籍名」、「出版社名」の各項目を有する。著者名の項目は、紙媒体の書籍の電子化に賛同する著作の氏名を記憶する領域である。書籍名の項目は、著作が書籍の電子化に許可する書籍名を記憶する領域である。出版社名の項目は、書籍を出版した出版社の氏名を記憶する領域である。なお、図３は、賛同リストデータ１１３の一例であり、その他の項目を含んでもよい。例えば、ＩＳＢＮ（International  Standard  Book  Number）コードなどの書籍を識別する識別情報を含んでもよい。
【００４９】
図４の例では、著者名「Ａ」の著者は、書籍名「ＸＸＸＸ」の書籍について書籍の電子化を許可しており、出版者が「○○出版」であることを示す。
【００５０】
図３に戻り、制御部２４は、電子化サーバ１１０を制御するデバイスである。例えば、制御部２４としては、ＣＰＵ（Central  Processing  Unit）やＭＰＵ（Micro  Processing  Unit）等の電子回路や、ＡＳＩＣ（Application  Specific  Integrated  Circuit）やＦＰＧＡ（Field  Programmable  Gate  Array）等の集積回路を採用できる。
【００５１】
制御部２４は、各種の処理手順を規定したプログラムや制御データを格納するための内部メモリを有し、これらによって種々の処理を実行する。制御部２４は、各種のプログラムが動作することにより各種の処理部として機能する。例えば、制御部２４は、スキャナ制御部４０と、透かし処理部４１と、送信部４２とを有する。
【００５２】
スキャナ制御部４０は、イメージスキャナ２５の動作を制御する。例えば、スキャナ制御部４０は、表示部２１に、画像の読み取り開始の指示や、読み取り画質の設定など各種の操作が可能な操作画面を表示させ、操作画面に対する操作に従い、イメージスキャナ２５の動作を制御する。
【００５３】
透かし処理部４１は、ユーザに紐付けた情報を電子透かしにより電子書籍データ１１２に埋め込む。本実施形態では、ユーザに紐付けた情報として注文番号を電子透かしとして電子書籍データ１１２に埋め込む。この注文番号は、入力部２２から入力されてもよい。また、書籍の電子化の依頼を受け付けた際に、電子化を依頼したユーザのユーザＩＤに関連付けて注文番号を記憶部２３に記憶させ、記憶部２３に記憶された、ユーザに関連付けた注文番号を用いてもよい。
【００５４】
送信部４２は、電子書籍データ１１２を管理サーバ１２１へ送信する。例えば、入力部２２に対して電子書籍データ１１２の送信を指示する操作が行われた場合、送信部４２は、電子書籍データ１１２を管理サーバ１２１へ送信する。
【００５５】
なお、制御部２４は、紙媒体の書籍が電子化の賛同を得られている書籍であるかを判定する判定部をさらに有してもよい。例えば、賛同リストデータ１１３にＩＳＢＮコードなどの識別情報を記憶させ、紙媒体の書籍に付されたＩＳＢＮコードなどの識別情報をバーコードリーダ等によって読み取り、判定部が読み取れた識別情報を賛同リストデータ１１３に記憶された識別情報と比較することにより、電子化の賛同を得られている書籍であるか判定してもよい。
【００５６】
［４．管理サーバの構成］
次に、実施形態に係る管理サーバ１２１について詳細に説明する。図５は、実施形態に係る管理サーバの機能的な構成の一例を示す図である。図５に示すように、管理サーバ１２１は、通信Ｉ／Ｆ部５０と、記憶部５１と、制御部５２とを有する。
【００５７】
通信Ｉ／Ｆ部５０は、ＮＩＣ等のインタフェースである。通信Ｉ／Ｆ部５０は、図示しないネットワークを介して他の装置との間で各種のデータを送受信する。例えば、通信Ｉ／Ｆ部５０は、電子化サーバ１１０から送信された電子書籍データ１１２などの各種のデータを受信する。また、通信Ｉ／Ｆ部５０は、電子書籍データ１１２を閲覧の際、ユーザ用記憶領域に格納された電子書籍データ１１２をユーザ端末１０１へ送信する。
【００５８】
記憶部５１は、各種情報を記憶するデバイスである。例えば、記憶部５１としては、ＨＤＤやディスクアレイなどの記憶装置が挙げられる。記憶部５１は、制御部５２で実行されるＯＳや、後述する格納処理を実行するプログラムを含む各種プログラムを記憶する。さらに、記憶部５１は、ユーザ用記憶領域５３が設けられている。
【００５９】
ここで、記憶部５１は、複数の記憶装置を有している。例えば、記憶部５１は、図５の例では、記憶装置として２つのディスクユニット５４Ａ、５４Ｂを有している。ディスクユニット５４Ａには、ユーザ毎に、他のユーザへのデータの公開が禁止された第１記憶領域５５Ａが設けられている。この第１記憶領域５５Ａは、ユーザに対してデータの参照が可能とされ且つデータのアップロードが禁止されている。なお、本実施形態では、第１記憶領域５５Ａは、ユーザによるデータのダウンロードを許可するものとするが、データのダウンロードを禁止してもよい。ディスクユニット５４Ｂには、ユーザ毎に、他のユーザへのデータの公開が可能とされた第２記憶領域５５Ｂが設けられている。この第２記憶領域５５Ｂは、ユーザに対してデータの参照、データのアップロード、データのダウンロードが可能とされている。ユーザ毎に、ユーザ用記憶領域５３は、第１記憶領域５５Ａと、第２記憶領域５５Ｂとを含んで構成される。なお、本実際形態では、記憶部５１が記憶装置として２つのディスクユニット５４Ａ、５４Ｂを有するものとしたが、記憶部５１は、外部のストレージ装置などであってもよい。例えば、記憶部５１は、外部の複数のストレージ装置として、第１記憶領域５５Ａと第２記憶領域５５Ｂを別なストレージ装置に設けてよい。このように、第１記憶領域５５Ａと第２記憶領域５５Ｂを別な記憶装置に設けることにより、例えば、一方の記憶装置が故障したり、不正アクセスが発生しても全ての情報が無くなったり、漏洩することを抑制できる。また、第１記憶領域５５Ａと第２記憶領域５５Ｂは、ユーザに対するアクセス権限が異なるため、別な記憶装置に設けることにより、アクセス権限の管理が容易になる。
【００６０】
制御部５２は、管理サーバ１２１を制御するデバイスである。例えば、制御部５２としては、ＣＰＵやＭＰＵ等の電子回路や、ＡＳＩＣやＦＰＧＡ等の集積回路を採用できる。
【００６１】
制御部５２は、各種の処理手順を規定したプログラムや制御データを格納するための内部メモリを有し、これらによって種々の処理を実行する。制御部５２は、各種のプログラムが動作することにより各種の処理部として機能する。例えば、制御部５２は、受付部６０と、格納部６１と、提供部６２とを有する。
【００６２】
受付部６０は、事業者１１１から、電子書籍データ１１２を受け付ける。例えば、受付部６０は、電子化サーバ１１０からのアクセスに応じて電子書籍データ１１２を送信するための操作画面を表示させ、操作画面からユーザＩＤを指定して電子書籍データ１１２の送信を受け付ける。
【００６３】
格納部６１は、受け付けた電子書籍データ１１２をユーザ用記憶領域５３に格納する。例えば、格納部６１は、電子書籍データ１１２を指定されたユーザＩＤのユーザのユーザ用記憶領域５３の第１記憶領域５５Ａに格納する。
【００６４】
提供部６２は、第１記憶領域５５Ａと第２記憶領域５５Ｂに記憶されたデータをユーザへ提供する。例えば、提供部６２は、ユーザからのアクセスに応じて、第１記憶領域５５Ａと第２記憶領域５５Ｂに記憶されたデータをあたかも１つの記憶領域に記憶されたデータとして提供する。
【００６５】
図６は、電子書籍データを格納する流れの一例を模式的に示した図である。管理サーバ１２１は、事業者１１１から、電子書籍データ１１２を受け付ける。格納部６１は、電子書籍データ１１２をユーザ用記憶領域５３の第１記憶領域５５Ａに格納する。
【００６６】
ここで、第１記憶領域５５Ａは、ユーザがデータをアップロードできないため、紙媒体の書籍１０２を電子化した電子書籍データ１１２のみが格納される。このように、第１記憶領域５５Ａは、紙媒体の書籍１０２を電子化した電子書籍データ１１２のみが格納されるため、監視サーバ１２５により不正データを監視する必要がないため、監視サーバ１２５の監視負荷を軽減させることができる。
【００６７】
一方、第２記憶領域５５Ｂは、ユーザによる文書ファイル、写真等の各種のデータのアップロードが可能であるため、ユーザの各種のデータが格納される。このため、第２記憶領域５５Ｂには、ユーザによりユーザデータ１３０がアップロードされる。また、第２記憶領域５５Ｂには、ユーザにより電子書籍データ１３１がアップロードされる場合もある。例えば、第２記憶領域５５Ｂには、ユーザ自身が紙媒体の書籍を自身が所有するスキャナを用いて電子化した電子書籍データをアップロードする場合がある。このユーザ自身が電子化した電子書籍データには、電子透かしが埋め込まれていない。また、第２記憶領域５５Ｂには、ユーザが事業者１０によって電子化された電子書籍データをアップロードする場合もある。この、事業者１０によって電子化した電子書籍データには、電子透かしが埋め込まれている。
【００６８】
第２記憶領域５５Ｂは、他のユーザへのデータの公開が可能とされている。ユーザは、第２記憶領域５５Ｂの格納されたデータのうち、他のユーザと共有したいデータを公開する。
【００６９】
提供部６２は、ユーザからアクセスに応じて、第１記憶領域５５Ａと第２記憶領域５５Ｂに記憶されたデータをあたかも１つの記憶領域に記憶されたデータとして提供する。例えば、提供部６２は、第１記憶領域５５Ａに記憶された電子書籍データ１１２と第２記憶領域５５Ｂに記憶された電子書籍データ１３１とを統合し、各記憶領域の区別なくユーザ端末に表示可能に提供する。ユーザ端末１０１には、電子書籍を参照するためのビューワ１４０がインストールされている。このビューワ１４０は、例えば、管理システム１２０により提供される。提供部６２は、ビューワ１４０からアクセスに応じて、第１記憶領域５５Ａに記憶された電子書籍データ１１２と、第２記憶領域５５Ｂに記憶された電子書籍データ１３１を、ひとまとめの電子書籍データとしてユーザ端末１０１のビューワ１４０により表示可能となるように提供する。ビューワ１４０には、第１記憶領域５５Ａと第２記憶領域５５Ｂの違いを区別せずに電子書籍が表示される。図６の例では、ビューワ１４０は、電子書籍を本棚に並べた状態で表示させており、第１記憶領域５５Ａに記憶された「書籍Ａ」の電子書籍データ１１２と、第２記憶領域５５Ｂに記憶された「書籍Ｂ」の電子書籍データ１３１が表示されている。前述の記憶領域の構成およびビューワの表示機能を採用したことで、本システムを利用して電子化された電子書籍データが個人の範囲を超えて流出してしまうのを防止しつつも、本システムを利用して電子化された電子書籍データだけでなく個人で電子化した電子書籍データも対象に自身が所有する電子書籍データを自由に利用したいユーザに対して利便性を高めることができる。
【００７０】
［５．監視サーバの構成］
次に、実施形態に係る監視サーバ１２５について詳細に説明する。図７は、実施形態に係る監視サーバの機能的な構成の一例を示す図である。図７に示すように、監視サーバ１２５は、通信Ｉ／Ｆ部７０と、表示部７１と、入力部７２と、記憶部７３と、制御部７４とを有する。
【００７１】
通信Ｉ／Ｆ部７０は、ＮＩＣ等のインタフェースである。通信Ｉ／Ｆ部７０は、図示しないネットワークを介して他の装置との間で各種のデータを送受信する。例えば、通信Ｉ／Ｆ部７０は、管理サーバ１２１へ第２記憶領域５５Ｂに格納されたデータの送信要求を送信する。また、通信Ｉ／Ｆ部７０は、管理サーバ１２１から第２記憶領域５５Ｂに格納されたデータを受信する。
【００７２】
表示部７１は、各種情報を表示する表示デバイスである。表示部７１としては、ＬＣＤやＣＲＴなどの表示デバイスが挙げられる。表示部７１は、各種情報を表示する。
【００７３】
入力部７２は、各種の情報を入力する入力デバイスである。例えば、入力部７２としては、マウスやキーボードなどの入力デバイスが挙げられる。入力部７２は、管理システム１２０の管理者などからの操作入力を受付け、受付けた操作内容を示す操作情報を制御部７４に入力する。
【００７４】
記憶部７３は、各種情報を記憶するデバイスである。例えば、記憶部７３としては、ＨＤＤやディスクアレイなどの記憶装置が挙げられる。記憶部７３は、制御部７４で実行されるＯＳや、後述する監視処理を実行するプログラムを含む各種プログラムを記憶する。さらに、記憶部７３は、監視書籍情報８０を記憶する。
【００７５】
監視書籍情報８０は、監視対象とする正当な電子書籍に関する情報を記憶したデータである。図８は、監視書籍情報のデータ構成の一例を示す図である。図８に示すように、監視書籍情報８０は、「透かし情報」、「ユーザ」の各項目を有する。透かし情報の項目は、電子書籍データ１１２に電子透かしとして埋め込まれた透かし情報を記憶する領域である。ここで、本実施形態では、電子書籍データ１１２に電子透かしとして注文番号を埋め込んでいる。透かし情報の項目には、電子書籍データ１１２に電子透かしとして埋め込まれた注文番号が格納される。ユーザの項目は、透かし情報の電子透かしを埋め込んだ電子書籍データ１１２の正当に所有するユーザのユーザＩＤを記憶する領域である。すなわち、ユーザの項目には、電子書籍データ１１２として電子化された書籍１０２の電子化を依頼したユーザのユーザＩＤが格納される。なお、図８の例では、ユーザを識別しやすくするため、ユーザＩＤとしてユーザ名を示している。図８の例では、透かし情報が「ＸＸＡ」の電子書籍データ１１２は、ユーザＡが正当な所有者であることを示す。
【００７６】
制御部７４は、監視サーバ１２５を制御するデバイスである。例えば、制御部７４としては、ＣＰＵやＭＰＵ等の電子回路や、ＡＳＩＣやＦＰＧＡ等の集積回路を採用できる。
【００７７】
制御部７４は、各種の処理手順を規定したプログラムや制御データを格納するための内部メモリを有し、これらによって種々の処理を実行する。制御部７４は、各種のプログラムが動作することにより各種の処理部として機能する。例えば、制御部７４は、監視部９０を有する。
【００７８】
監視部９０は、管理サーバ１２１に格納されたデータに不正な電子書籍データ１１２がないか監視する。例えば、監視部９０は、管理サーバ１２１の各ユーザのユーザ用記憶領域５３の第２記憶領域５５Ｂから電子書籍データ１１２を検索する。監視部９０は、電子書籍データ１１２が検索された場合、電子書籍データ１１２に電子透かしとして埋め込まれた透かし情報を読み出す。監視部９０は、読み出した透かし情報を監視書籍情報８０と照合し、ユーザを特定する。そして、監視部９０は、電子書籍データ１１２が格納されたユーザ用記憶領域５３が、照合されたユーザのユーザ用記憶領域５３である場合、正当なデータであると判定する。一方、監視部９０は、電子書籍データ１１２が格納されたユーザ用記憶領域５３が、照合されたユーザとは異なるユーザ用記憶領域５３である場合、不正な電子書籍データ１１２であると判定する。監視部９０は、監視の結果、不正な電子書籍データ１１２が検出された場合、表示部７１に不正と判定された電子書籍データ１１２に関する情報を表示させる。
【００７９】
図９は、電子書籍データの監視の流れの一例を模式的に示した図である。監視サーバ１２５では、監視部９０は、各ユーザのユーザ用記憶領域５３の第２記憶領域５５Ｂの不正な電子書籍データ１１２がないかを監視する。例えば、図９の例では、ユーザＡのユーザ用記憶領域５３の第１記憶領域５５Ａには、透かし情報が「ＸＸＡ」の電子書籍データ１１２Ａが格納されている。第２記憶領域５５Ｂには、透かし情報が「ＸＸＢ」の電子書籍データ１１２Ｂと、透かし情報が「ＸＸＣ」の電子書籍データ１１２Ｃが格納されている。このような状態において、例えば、監視書籍情報８０が図８に示す状態である場合、監視部９０は、透かし情報が「ＸＸＣ」の電子書籍データ１１２Ｃの正当な所有がユーザＢであるため、電子書籍データ１１２Ｃを不正な電子書籍データ１１２として表示部７１に警告を表示させる。
【００８０】
管理システム１２０の管理者は、不正な電子書籍データ１１２を所有するユーザに対して警告を行い、削除を促す。なお、監視サーバ１２５は、不正な電子書籍データ１１２を検出すると、削除するようにしてもよい。
【００８１】
［６．処理の流れ］
次に、本実施形態に係る電子化サーバ１１０が紙媒体の書籍１０２を電子書籍データ１１２に変換する変換処理の流れを説明する。図１０は、実施形態に係る変換処理の手順の一例を示すフローチャートである。この変換処理は、例えば、書籍１０２を裁断した用紙がイメージスキャナ２５にセットされ、入力部２２から操作画面に対して画像の読み取り開始を指示する所定の操作が行われたタイミングで実行される。
【００８２】
図１０に示すように、スキャナ制御部４０は、イメージスキャナ２５を制御して、セットされた用紙をイメージスキャナ２５により読み取ってデジタルの電子書籍データ１１２に変換する（Ｓ１０）。変換された電子書籍データ１１２は、記憶部２３に記憶される。
【００８３】
透かし処理部４１は、電子透かしとして埋め込む情報を取得する（Ｓ１１）。例えば、埋め込む情報として注文番号を入力部２２から入力させるものとした場合、透かし処理部４１は、注文番号の入力画面を表示させて、入力画面から注文番号を取得する。あるいは、ユーザＩＤに関連付けて注文番号が記憶部２３に記憶されている場合、透かし処理部４１は、電子化を依頼したユーザのユーザＩＤに関連付けられた注文番号を記憶部２３から読み出して取得する。
【００８４】
透かし処理部４１は、取得した注文番号を電子透かしとして電子書籍データ１１２に埋め込み（Ｓ１２）、処理を終了する。
【００８５】
次に、本実施形態に係る管理サーバ１２１が電子書籍データ１１２を格納する格納処理の流れを説明する。図１１は、実施形態に係る格納処理の手順の一例を示すフローチャートである。この格納処理は、例えば、操作画面からユーザＩＤを指定して電子書籍データ１１２の送信を受け付けタイミングで実行される。
【００８６】
図１１に示すように、格納部６１は、電子書籍データ１１２を指定されたユーザＩＤのユーザのユーザ用記憶領域５３の第１記憶領域５５Ａに格納し（Ｓ２０）、処理を終了する。
【００８７】
次に、本実施形態に係る管理サーバ１２１がユーザからアクセスに応じて電子書籍データを提供する提供処理の流れを説明する。図１２は、実施形態に係る提供処理の手順の一例を示すフローチャートである。この提供処理は、例えば、ビューワ１４０から電子書籍データの情報が要求をされたタイミングで実行される。
【００８８】
図１２に示すように、提供部６２は、第１記憶領域５５Ａに記憶された電子書籍データ１１２を読み出す（Ｓ２５）。また、提供部６２は、第２記憶領域５５Ｂに記憶された電子書籍データ１３１を読み出す（Ｓ２６）。そして、提供部６２は、第１記憶領域５５Ａに記憶された電子書籍データ１１２と第２記憶領域５５Ｂに記憶された電子書籍データ１３１とを統合してビューワ１４０へ送信し（Ｓ２７）、処理を終了する。なお、Ｓ２５とＳ２６の処理は、順序を逆としてもよい。すなわち、第１記憶領域５５Ａからの電子書籍データ１１２の読み出しと、第２記憶領域５５Ｂからの電子書籍データ１３１の読み出しは、何れが先でもよい。ビューワ１４０は、管理サーバ１２１から統合して送信された各電子書籍を本棚に並べた状態で表示する。なお、ユーザは、所有する複数の端末にビューワ１４０を実装することで、場合に応じて利用する端末を選びながら電子書籍データを利用することができる。
【００８９】
次に、本実施形態に係る監視サーバ１２５が不正な電子書籍データ１１２を監視する監視処理の流れを説明する。図１３は、実施形態に係る監視処理の手順の一例を示すフローチャートである。この監視処理は、例えば、日次や一定時間毎などの周期的または管理者から処理開始を指示する所定の操作が行われたタイミングで実行される。
【００９０】
図１３に示すように、監視部９０は、管理サーバ１２１の各ユーザのユーザ用記憶領域５３の第２記憶領域５５Ｂから電子書籍データ１１２を検索する（Ｓ３０）。監視部９０は、検索の結果、電子書籍データ１１２があるか否かを判定する（Ｓ３１）。電子書籍データ１１２がない場合（Ｓ３１否定）、処理を終了する。
【００９１】
一方、検索の結果、電子書籍データ１１２がある場合（Ｓ３１肯定）、監視部９０は、検索された電子書籍データ１１２を読み出す（Ｓ３２）。そして、監視部９０は、読み出した電子書籍データ１１２から透かし情報を読み出す（Ｓ３３）。監視部９０は、読み出した透かし情報を監視書籍情報８０と照合し、正当なユーザを特定する（Ｓ３４）。監視部９０は、読み出した電子書籍データ１１２が格納されたユーザ用記憶領域５３が、正当なユーザのユーザ用記憶領域５３であるか否かを判定する（Ｓ３５）。電子書籍データ１１２が格納されたユーザ用記憶領域５３が、照合されたユーザのユーザ用記憶領域５３ではない場合（Ｓ３５否定）、監視部９０は、読み出した電子書籍データ１１２を不当なデータであると判定する（Ｓ３６）。一方、電子書籍データ１１２が格納されたユーザ用記憶領域５３が、照合されたユーザのユーザ用記憶領域５３である場合（Ｓ３５肯定）、監視部９０は、読み出した電子書籍データ１１２を正当なデータであると判定する（Ｓ３７）。
【００９２】
監視部９０は、検索された電子書籍データ１１２を全て読み出したか否かを判定する（Ｓ３８）。検索された電子書籍データ１１２を全て読み出していない場合（Ｓ３８否定）、Ｓ３２の処理へ移行する。一方、検索された電子書籍データ１１２を全て読み出した場合（Ｓ３８肯定）、監視部９０は、不当と判定した電子書籍データ１１２を表示部７１に表示させ（Ｓ３９）、処理を終了する。
【００９３】
［７．その他］
上記実施形態において、電子化サーバ１１０は、ユーザに紐付けた情報として注文番号を電子透かしとして電子書籍データ１１２に埋め込む場合について説明したが、これに限定されるものではない。例えば、決済サーバ１２３が、ユーザが電子化の費用の決済を行った際の決済番号などを電子化サーバ１１０へ通知し、電子化サーバ１１０が決済番号を電子透かしとして電子書籍データ１１２に埋め込んでもよい。また、管理システム１２０側から、ユーザに紐付けて、電子透かしとして埋め込む情報を電子化サーバ１１０へ通知し、電子化サーバ１１０が通知された情報を電子透かしとして電子書籍データ１１２に埋め込んでもよい。
【００９４】
また、上記実施形態において、紙媒体の書籍を電子化した電子書籍データのほか、管理サーバ１２１は、出版社や著作権者が電子媒体の書籍として提供し、ユーザが購入等することで利用可能になる電子書籍データ（以下、購入電子書籍データ）を記憶する第３記憶領域をユーザ用記憶領域に設けるようにしてもよい。なお、第３記憶領域は、上記実施形態における第１記憶領域５５Ａと同様の構成（他のユーザへの公開禁止等）を採用する。この場合、購入電子書籍データを記憶・管理・提供する電子書籍ストアサーバと上記実施形態の管理システム１２０とをインターネット等のネットワークを介して接続可能に構成する。また、電子書籍ストアサーバが提供する購入電子書籍データの代価に対する決済処理を上記実施形態と同様に決済サーバ１２３が行うようにしてもよい。また、管理サーバ１２１は、決済完了後に電子書籍ストアサーバから送信される購入電子書籍データを、当該購入電子書籍データを購入したユーザのユーザ用記憶領域（第３記憶領域）に記憶するようにしてもよい。また、管理サーバ１２１の提供部６２は、第１記憶領域５５Ａに記憶された電子書籍データ１１２と、第２記憶領域５５Ｂに記憶された電子書籍データ１３１と、第３記憶領域に記憶された購入電子書籍データと、を読み出し、これらを統合してビューワ１４０へ送信するようにしてもよい。ビューワ１４０は、管理サーバ１２１から統合して送信された各電子書籍データを本棚に並べた状態で表示するようにしてもよい。このようにしても、電子書籍データ１２を適切に管理できつつ、自身が所有する電子書籍データを自由に利用したいユーザの利便を高めることができる。
【００９５】
［８．効果］
このように、管理サーバ１２１は、電子化サーバ１１０から、紙媒体の書籍１０２をスキャンニングして電子化され、電子透かしが埋め込まれた電子書籍データ１１２を受け付ける。管理サーバ１２１は、受け付けた電子書籍データ１１２を、ユーザに対してアクセスが許可されたユーザ用記憶領域５３に格納する。これにより、管理サーバ１２１は、電子書籍データ１２を事業者１０からユーザ端末１６へ納品して、各ユーザ端末１６において保存される場合に比べて、紙媒体の書籍を電子化した電子書籍データ１２を集中して管理できるため、電子書籍データ１２を適切に管理できる。
【００９６】
また、管理サーバ１２１は、ユーザ用記憶領域５３に、他のユーザへのデータの公開が禁止された第１記憶領域５５Ａと、他のユーザへのデータの公開が可能とされた第２記憶領域５５Ｂとが設けられている。管理サーバ１２１は、受け付けた電子書籍データを第１記憶領域５５Ａに格納する。これにより、管理サーバ１２１は、ユーザ用記憶領域５３のうち、他のユーザへのデータの公開が禁止された第１記憶領域５５Ａで電子書籍データ１１２を管理できる。
【００９７】
また、管理サーバ１２１は、第１記憶領域５５Ａと第２記憶領域５５Ｂが別な記憶装置に設けられている。そして、管理サーバ１２１は、ユーザからアクセスに応じて、第１記憶領域５５Ａに記憶された電子書籍データと第２記憶領域５５Ｂに記憶された電子書籍データとを統合し、各記憶領域の区別なくユーザ端末に表示可能に提供する。これにより、管理サーバ１２１は、第１記憶領域５５Ａと第２記憶領域５５Ｂに記憶されたデータを記憶領域の違いを意識させずに提供できる。
【００９８】
また、電子書籍データ１１２は、ユーザに紐付けられた情報が電子透かしとして埋め込まれている。これにより、電子書籍データ１１２は、紐付けられた情報からユーザを特定できる。
【００９９】
また、上述した管理サーバ１２１、認証サーバ１２２、決済サーバ１２３、インデックスサーバ１２４および監視サーバ１２５は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【０１００】
また、特許請求の範囲に記載した「手段」は、「部（section、module、unit）」や「回路」などに読み替えることができる。例えば、受付手段は、受付部や受付回路に読み替えることができる。
【符号の説明】
【０１０１】
１０  事業者
１１  書籍
１２  電子書籍データ
１３  端末
１４  電子書籍管理装置
１５  ユーザ用記憶領域
１６  ユーザ端末
２３  記憶部
２４  制御部
２５  イメージスキャナ
４０  スキャナ制御部
４１  透かし処理部
４２  送信部
５１  記憶部
５２  制御部
５３  ユーザ用記憶領域
５４Ａ、５４Ｂ  ディスクユニット
６０  受付部
６１  格納部
６２  提供部
７３  記憶部
７４  制御部
８０  監視書籍情報
９０  監視部
１００  電子書籍システム
１０１  ユーザ端末
１０２  書籍
１１０  電子化サーバ
１１１  事業者
１１２  電子書籍データ
１１３  賛同リストデータ
１２０  管理システム
１２１  管理サーバ
１２２  認証サーバ
１２３  決済サーバ
１２４  インデックスサーバ
１２５  監視サーバ
【図１】
2014186456.tif 000003
【図２】
2014186456.tif 000004
【図３】
2014186456.tif 000005
【図４】
2014186456.tif 000006
【図５】
2014186456.tif 000007
【図６】
2014186456.tif 000008
【図７】
2014186456.tif 000009
【図８】
2014186456.tif 000010
【図９】
2014186456.tif 000011
【図１０】
2014186456.tif 000012
【図１１】
2014186456.tif 000013
【図１２】
2014186456.tif 000014
【図１３】
2014186456.tif 000015